(57)【要約】【課題】専用のファインダやサブ表示部を設ける必要なく、通信時に利用される表示部を撮像時のファインダとしても利用可能とするとともに、カメラとしての使用時に一般的なカメラと同様の形態で取り扱うことを可能とする。【解決手段】上側筐体１１２は、その端部において、表示部１２３の表示画面にほぼ垂直な軸を回転軸として下側筐体１１１に対してスライド回転可能に結合されている。下側筐体１１１は、その内側の主面に、各種キーを有する主操作部を有する。閉状態であっても表示部１２３は外部に露出している。下側筐体１１１の外側面にシャッタボタン２５が設けられる。上側筐体１１２が閉じられた状態でシャッタボタン２５が長押しされたとき撮像モードに移行し、表示部１２３の表示画面をファインダとして利用しシャッタボタン２５の操作に応じた撮像を行うことを可能とする。筐体が開かれたときは撮像動作が抑止される。【選択図】  図１
2004312389.tif 000002
【特許請求の範囲】
【請求項１】
撮像機能を有する携帯通信端末装置であって、
主面において各種キーを有する操作部を配置した下側筐体と、
主面において表示画面を有する表示部を配置するとともに、端部において前記表示画面にほぼ垂直な軸を回転軸としてスライド回転可能に前記下側筐体に結合された上側筐体と、
前記下側筐体の前記操作部の裏面に配置され外方へ向けられた撮像部と、
前記上側筐体および前記下側筐体の一方の外側面に設けられ撮像を指示する撮像ボタンと、
前記表示部の表示画面をファインダとして利用し前記撮像部の撮像動作を制御する撮像制御手段と、
を備えたことを特徴とする携帯通信端末装置。
【請求項２】
前記撮像制御手段は、前記撮像ボタンの所定の操作に従って撮像モードに移行し、この撮像モードでは、前記表示部の表示画面をファインダとして利用し前記撮像ボタンの操作に応じて前記撮像部による撮像を行うことを特徴とする請求項１記載の携帯通信端末装置。
【請求項３】
前記下側筐体に対する前記上側筐体の開閉を検出する開閉検出手段をさらに備え、
前記撮像制御手段は、撮像モードへの移行の指示をうけた場合、前記上側筐体が開状態にあると判断されたとき、撮像モードへの移行または前記撮像部による撮像動作を抑止することを特徴とする請求項１または２記載の携帯通信端末装置。
【請求項４】
前記下側筐体に対する前記上側筐体の開閉を検出する開閉検出手段をさらに備え、
前記撮像制御手段は、撮像モードに入っている状態で前記上側筐体が開状態になったと判断されたとき、前記撮像部による撮像動作を抑止することを特徴とする請求項１または２記載の携帯通信端末装置。
【請求項５】
前記撮像制御手段は、前記上側筐体が開状態から閉状態に変化したとき、前記撮像動作の抑止を解除することを特徴とする請求項４記載の携帯通信端末装置。
【請求項６】
前記撮像制御手段は、前記撮像動作を抑止する際に前記上側筐体の閉鎖を促す警告メッセージを前記表示部に表示させることを特徴とする請求項３または４記載の携帯通信端末装置。
【請求項７】
前記撮像制御手段は、撮像モードに入った後、前記操作部における所定の操作に従って撮像モードから離脱することを特徴とする請求項１または２記載の携帯通信端末装置。
【請求項８】
前記撮像制御手段は、撮像モードに入っている状態で前記上側筐体が開放されたと判断されたとき、撮像モードから離脱することを特徴とする請求項１または２記載の携帯通信端末装置。
【請求項９】
前記上側筐体の前記主面に配置された第２の操作部をさらに備え、前記撮像制御手段は、撮像モードに入っている状態で前記第２の操作部の操作に従って撮像モードから離脱することを特徴とする請求項１または２記載の携帯通信端末装置。
【発明の詳細な説明】
【０００１】
【発明の属する技術分野】
本発明は、携帯通信端末装置（以下、単に携帯通信端末ともいう）に係り、特に、デジタルカメラ機能（撮像機能）を備え、下側筐体に対して上側筐体がスライド回転する折り畳み型の携帯通信端末装置に関する。
【０００２】
【従来の技術】
従来、携帯電話機のような携帯通信端末であって撮像機能を備えたものが、特許文献１等に知られている。この携帯通信端末は電話利用時に利用されるＬＣＤ（液晶表示部）を撮像時にもファインダとして利用し、撮像に際して被写体の画像をリアルタイムでＬＣＤに写して写り具合を確認した後、撮像を行うことができるようになっている。ＬＣＤは折り畳み式の上側筐体の内側の主面に配置されているので、撮像時にＬＣＤをファインダとして利用する場合には下側筐体に対して上側筐体を開いた状態で撮像が行われる。
【０００３】
また、最近の市場に出回っている携帯電話機においても、表示画面サイズを大きくし、かつ収納サイズを小さくできる等の理由から折り畳み型の機種が主流となってきており、上側筐体の閉状態でも電波状態や日時、着信情報等が視覚的に認識できるように上側筐体の外表面にサブ表示部を設けているのが一般的である。このような折り畳み型の携帯電話機であってデジタルカメラ機能を備えたものでは、やはり上側筐体を開いた状態でのユーザのキー操作によりカメラモードに移行し、メイン表示部をファインダとして利用しながら撮像が行えるようになっている。
【０００４】
【特許文献１】
特開平１０−３３６４９８号公報
【０００５】
【発明が解決しようとする課題】
上記従来の折り畳み型の携帯通信端末の開閉動作はいずれも、二枚貝の開閉動作に類したものであり、上側筐体の下端の辺（下側筐体の上側の辺）に平行な軸を回転軸として開閉するものである。この構造上、通信時に利用されるメイン表示部と、テンキーや通話キーおよび終話キー等を含む操作部とはそれぞれ上側筐体および下側筐体の内側の主面上に配置され、筐体の閉鎖時には表示部と操作部とが対向する形で内側に隠れてしまう。このような構造上の理由から、メイン表示部を撮像時のファインダとして利用するには、上側筐体を開放した状態で用いる必要がある。これは、一般的なカメラの形態や取り扱いとは異なり、ユーザにとって違和感があるとともにその操作性も劣る。
【０００６】
また、従来の折り畳み型の携帯通信端末で撮像を行う際、その前提として、まず筐体を開き、次にカメラモードキーを押下してカメラモードへ移行し、その後、シャッタボタンに指を移して撮像動作に入る、という手間が必要であり、迅速な撮像を行うという点でも操作性に問題があった。
【０００７】
なお、上記特許文献１に記載の携帯通信端末では上側筐体を閉じた状態での撮像も可能であるが、この場合にはＬＣＤを撮像時のファインダとして利用することができず、別途、専用のファインダを設けて、これを利用するようにしている。このように別途専用のファインダを設けることは装置のコスト増の原因となる。
【０００８】
本発明はこのような背景においてなされたものであり、その目的は、専用のファインダやサブ表示部を設ける必要なく、通信時に利用される表示部を撮像時のファインダとしても利用可能であり、カメラとしての使用時に一般的なカメラと同様の形態で取り扱うことができる操作性の良好な携帯通信端末装置を提供することにある。
【０００９】
【課題を解決するための手段】
上記目的を達成するために、本発明は、上記のような二枚貝的な開閉ではなく、本願出願人が先に特願２００２−０６３６３５号において提案したような型（回転スライド型またはジャックナイフ型）の折り畳み開閉を行う携帯通信端末装置にデジタルカメラ機能を付与したものである。
【００１０】
すなわち、本発明による携帯通信端末装置は、撮像機能を有する携帯通信端末装置であって、主面において各種キーを有する操作部を配置した下側筐体と、主面において表示画面を有する表示部を配置するとともに、端部において前記表示画面にほぼ垂直な軸を回転軸としてスライド回転可能に前記下側筐体に結合された上側筐体と、前記下側筐体の前記操作部の裏面に配置され外方へ向けられた撮像部と、前記上側筐体および前記下側筐体の一方の外側面に設けられ撮像を指示する撮像ボタンと、前記表示部の表示画面をファインダとして利用し前記撮像部の撮像動作を制御する撮像制御手段とを備えたことを特徴とする。
【００１１】
上側筐体と下側筐体とはその結合部において表示画面にほぼ垂直な軸を回転軸としてスライド回転するものである。このようなスライド回転折り畳み型の場合、筐体が開かれているか閉じられているかを問わず、表示部の表示画面は常に外側に露出されており、筐体の閉状態においてもユーザが表示画面全体を視認可能となる。したがって、従来のように閉状態での表示情報認識のために別途サブ表示部を設ける必要がなくなる。また、閉状態のまま撮像時のファインダとして表示部を利用することができる。
【００１２】
好ましくは、前記撮像制御手段は、前記撮像ボタンの所定の操作に従って撮像モードに移行し、この撮像モードでは、前記表示部の表示画面をファインダとして利用し前記撮像ボタンの操作に応じて前記撮像部による撮像を行う。本発明の携帯通信端末では撮像時に筐体を開く必要がないので、撮像モードへの移行に、外側面に設けられている撮像ボタンを利用することにより、迅速に撮像モードへの移行が行え、かつ、そのままの体勢で撮像動作に移ることができる。
【００１３】
前記下側筐体に対する前記上側筐体の開閉を検出する開閉検出手段をさらに備え、前記撮像制御手段は、撮像モードへの移行の指示をうけた場合、前記上側筐体が開状態にあると判断されたとき、撮像モードへの移行または前記撮像部による撮像動作を抑止するようにしてもよい。あるいは、前記撮像制御手段は、撮像モードに入っている状態で前記上側筐体が開状態になったと判断されたとき、前記撮像部による撮像動作を抑止する。これらの抑止動作は、筐体を閉じた一般的なカメラ形態での撮像動作を保証するよう機能する。
【００１４】
【発明の実施の形態】
以下、本発明の実施の形態について、図面を参照して詳細に説明する。
【００１５】
図１に、本実施の形態に係る回転スライド折り畳み型の携帯通信端末装置の折り畳んだ状態（閉状態）の第１の斜視図を示し、図２に別の視点からの第２の斜視図を示す。
【００１６】
図示の携帯通信端末１３０は、第１の筐体である下側筐体１１１と第２の筐体である上側筐体（上蓋）１１２とを備える。上側筐体１１２は、その内側の主面に、例えばＬＣＤのような平面表示デバイスからなる表示部１２３を有する。上側筐体１１２は、その端部において、表示部１２３の表示画面にほぼ垂直な軸を回転軸として下側筐体１１１に対してスライド回転可能に結合されている。下側筐体１１１は、その内側の主面に、各種キーを有する第１の操作部である主操作部（図１、図２では隠れて見えない）を有する。両筐体が折り畳まれて重ね合わされた状態であっても、この折り畳みは二枚貝型ではなく回転スライド型なので、上側筐体１１２の表示部１２３は外部に露出している。
【００１７】
上側筐体１１２の表示部１２３が配置されたと同じ主面上には、副操作部（第２の操作部）としてのジョグダイヤル１２１および操作ボタン１２２ａ，１２２ｂが設けられている。ジョグダイヤル１２１は押しボタンスイッチを兼ねた回転ダイヤル操作手段である。さらに、同主面上の表示部１２３の近傍にはイヤレシーバ１２４が配置されている。
【００１８】
下側筐体１１１の外側面には、撮像を指示する撮像ボタンとしてのシャッタボタン２５が配置されている。図１に示した状態の携帯通信端末１３０において、ジョグダイヤル１２１をユーザの右手側手前に向けた横長の状態で（表示部１２３の画面も手前に向く）、少なくとも右手で装置の右側部分を把持したとき、シャッタボタン２５は、ほぼ、右手の人差し指の先端腹部の下に当たる付近に位置する構成となっている。
【００１９】
一方、図２からわかるように、下側筐体１１１の外側主面には、電池カバー３４０が配置され、その横に、撮像部のレンズ３１、ミラー３２およびスピーカ３３が配置されている。ミラー３２は、ユーザがレンズ３１を自身に向けて撮像する際のファインダ代わりとするためのものである。但し、レンズ３１、ミラー３２およびスピーカ３３の位置関係やサイズは図示のものに限るものではない。
【００２０】
図１、図２に示したような、筐体の閉状態での、表示部１２３を利用したファインダ画面、およびシャッタボタン２５、レンズ３１の配置関係によって、この携帯通信端末１３０は既存のデジタルカメラの形態と実質的に同じ形態を有し、かつ、ユーザは同じ取り扱い方法で撮像を行うことができる。
【００２１】
図３は、図１，図２に示した携帯通信端末１３０の閉状態から、下側筐体１１１に対して上側筐体１１２をスライド回転させて開放する途中の状態の外観を示している。図では上側筐体１１２を下側筐体１１に対して時計方向に回転させているが、時計方向および反時計方向のいずれにも回転させうる。
【００２２】
図４は、図３の状態を経て、上側筐体１１２を開放しきった状態の外観を示している。本実施の形態では、図４の状態から、開いたとき同じ回転方向にさらに回転させることはできず、開いたときの逆方向に回転させることにより再度折り畳み状態に戻すことができる。これは、上側筐体と下側筐体の電気的接続を行うケーブル（図示せず）が結合部内を貫通しており、そのよじれ等を防止するためである。ケーブルのよじれ等の問題が生じなければ、図４の状態から、開いたとき同じ回転方向に回転させることも可能である。
【００２３】
下側筐体１１１の内側の主表面には各種キーからなる主操作部１１６が配置され、マイク１１４も配置されていることが、図４から分かる。同主表面の周囲の複数箇所に配置された複数の突起１１８は、両筐体が重ね合わされたときに上側筐体１１２が誤って主操作部１１６のキーを押圧しないようにするためのスペーサの役割を果たしている。このような突起１１８は本発明に必須のものではなく、突起１１８の代わりに主操作部１１６のキーの誤押圧を防止できる任意の構造を採用することができる。
【００２４】
図４に示した上側筐体１１２を開いた状態は、音声通話時、電子メールの作成、送信、アドレス帳やメモ帳の編集等、主として、主操作部１１６を利用する際の利用形態である。
【００２５】
このような回転スライド折り畳み型の携帯通信端末１３０は従来の二枚貝折り畳み型と同様に折り畳み時のサイズを縮小できる利点がある。二枚貝折り畳み型と異なるのは、重ね合わせた状態でも表示部１２３が外部に露出していることである。したがって、上述したカメラ機能に関して専用のファインダを設ける必要がないだけでなく、サブ表示部を設ける必要もない。その結果、折り畳み状態で表示部１２３により電子メールの着信内容の確認を行う等、表示部１２３の利用価値が向上する。
【００２６】
図５は、図１に示した携帯通信端末１３０のシャッタボタン２５の位置を、下側筐体１１１から上側筐体１１２側へ移動させた構成を有する他の携帯通信端末１３１の外観を示している。携帯通信端末１３１の内部構成は携帯通信端末１３０と同じである。筐体の閉状態で撮像機能を利用する限りは、操作性において両者に変わりはない。ただし、シャッタボタン２５を、筐体の開状態で撮像機能以外の用途に利用する場合には下側筐体１１１に設ける方が好ましい。また、シャッタボタン２５としての電気的スイッチの配線の長さの観点からも、電池のある下側筐体１１１にシャッタボタン２５を設ける方が好ましいと言える。
【００２７】
図６に、本実施の形態の携帯通信端末１３０のハードウェア構成を示す。
【００２８】
携帯通信端末１３０の全体の動作はＣＰＵ２２０により制御される。ＣＰＵ２２０は、制御ライン２００を介して、通信回路２０３、表示制御部２０９、操作部２０６、ＲＯＭ２０７、ＲＡＭ２０８、折り畳み検知部２１８、撮像部２１９、撮像ボタン２３１（図１の２５に対応）および音声処理部２１５と接続され、これらの各部を制御する。
【００２９】
通信回路２０３は、携帯通信端末の送受信処理を行う部位であり、アンテナ２０２により無線インタフェースを介して基地局と接続される。表示制御部２０９は表示部２１０（図１の表示部１２３に対応）の表示制御を行う部位である。操作部２０６（図１の主操作部１１６に対応）は、ユーザの入力指示を受け付ける部位である。ＲＯＭ２０７は、ＣＰＵ２２０により実行される固定的なプログラムおよびこれに付随した固定的なデータ（フォントデータ等）を記憶するメモリである。ＲＡＭ２０８はＣＰＵ２２０の利用に供されるデータの一時保存領域や作業領域を提供するメモリである。折り畳み検知部２１８は下側筐体に対する上側筐体の開閉状態を検知するための既知の手段である。撮像部２１９は、撮像処理を行う部位であり、上記レンズ３１の他、ＣＣＤ等の撮像素子およびその制御回路を有する。音声処理部２１５は、マイク２３２（図１の１１４に対応）、イヤレシーバ２３３（図１の１２０に対応）、およびスピーカ２３４（図２の３３に対応）に接続され、音声の入出力処理を行う部位である。
【００３０】
データライン２０１は、ＣＰＵ２２０、通信回路２０３、表示制御部２０９、ＲＯＭ２０７、ＲＡＭ２０８、音声処理部２１５、撮像部２１９と接続され、これらの任意の部位間のデータの転送路を提供する。
【００３１】
通常、充電可能な電池４５は下側筐体１１１内に交換可能に装着され、この電池４５に接続されて装置各部に所定の動作電力を供給する電源回路２１３が設けられている。
【００３２】
図７に、本実施の形態における携帯通信端末の撮像に関する第１の動作例のフローチャートを示す。この処理はＣＰＵ２２０によりＲＯＭ２０７等に格納されたコンピュータプログラムの実行処理により実現される。
【００３３】
本実施の形態では、ユーザによる撮像モード（カメラモード）への移行の指示として、シャッタボタン２５の所定の操作（例えば、所定時間以上連続した押下、すなわち長押し）を採用する。シャッタボタン２５は筐体の折り畳み状態（閉状態）で外部に露出しており、かつ、非撮像モード時にはシャッタボタン２５の押下によって誤撮像はあり得ないからである。勿論、ジョグダイヤル１２１等の第２の操作部も筐体の折り畳み状態で外部に露出しており、ジョグダイヤルによるメニュー操作、あるいは操作ボタン１２２ａ，１２２ｂのいずれかの操作を利用することも可能である。ただし、簡便さおよび操作の分かりやすさからは、撮像モードへの移行の指示にはシャッタボタン２５の利用が好適と考えられる。
【００３４】
シャッタボタン２５の長押し等により、ユーザによる撮像モードへの移行の指示があったとき、ＣＰＵは筐体が閉状態であるか否かをチェックする（Ｓ１２）。閉状態であれば、撮像モードに入る（Ｓ１５）。このとき、表示部１２３を撮像用のファインダとして利用開始する。これにより、レンズを通して得られた撮像対象の被写体の像がほぼリアルタイムに表示部１２３の画面上に表示される。閉状態でなければ（すなわち開状態であれば）、例えば「上蓋を閉じてください」のような、上側筐体の閉鎖を促す警告メッセージを表示画面上に表示出力する（Ｓ１３）。これに代えて、または併せて、所定の警告音や音声メッセージ等をスピーカおよび／またはイヤレシーバから発するようにしてもよい。警告メッセージ出力の後、上側筐体が閉じられるのを待って（Ｓ１４）、撮像モードに入る（Ｓ１５）。
【００３５】
撮像モードに入った後、シャッタボタンが押下されたら（Ｓ１６）、撮像動作を実行する（Ｓ１７）。撮像モード終了の指示があれば（Ｓ１８，Ｎｏ）、最初のステップＳ１１へ戻る。ここでの撮像モード終了の指示とは、筐体の折り畳み状態のまま、ユーザが第２の操作部の例えばジョグダイヤルの操作により行うものである。撮像モード終了の指示がある前に、上側筐体が開放されたら（Ｓ１９，Ｙｅｓ）、撮像を抑止する（Ｓ２０）。この撮像の抑止とは、少なくとも、シャッタボタンの押下の無効化である。これに加えて、表示部のファインダとしてのモニタ機能をオフとしてもよい。この後、上記ステップＳ１３と同様の警告メッセージを出力する（Ｓ２１）。
【００３６】
本実施の形態において筐体の開状態での撮像を抑止する理由は次のとおりである。
（１）回転スライド型であるために筐体の開状態での撮像を許可すると、閉状態と開状態とで表示部と撮像部との相互の上下関係が逆になるため、筐体が開閉される毎に表示部のファインダ表示画像を上下逆転させるという余分な処理が必要となること。
（２）開状態での撮像は従来のカメラの使用形態と異なり、操作性が劣化すること。
（３）通常、携帯電話機の終話キー（操作部２０６の１キー）は任意のユーザ操作を終了する機能が割り当てられており、開状態では操作部が露出するため誤って終話キーを押して撮像モードを予期しない時点で中断してしまうおそれがあること。
（４）閉状態で表示部をファインダとして利用しながら撮像動作を行うことができるので、開状態での撮像が必要となる特段の理由がないこと。
【００３７】
ステップＳ２１の後、撮像モード終了の指示があれば、最初のステップＳ１１へ戻る。この撮像モード終了の指示は、主操作部に設けられたキー（例えば終話キー）の押下による。この代わりに、第２の操作部の操作を利用することも可能である。撮像モード終了の指示がなく、上側筐体１１２が再度閉じられた場合、ステップＳ１５に戻り、撮像モードに復帰する。
【００３８】
図８は、本実施の形態における携帯通信端末の撮像に関する第２の動作例のフローチャートを示す。この動作例は、図７に示した第１の動作例と類似しており、ステップＳ３１〜Ｓ３９は図７のステップＳ１１〜Ｓ１９と同じである。違いは第２の動作例では第１の動作例のステップＳ２０〜Ｓ２３を省略したことである。この相違点は、第２の動作例では撮像モードに入った後、筐体を開くと、撮像モードが終了することである。したがって、第２の動作例では、撮像モードに戻るには筐体を閉じて再度シャッタボタンの長押しを行う必要がある。
【００３９】
第１の動作例と第２の動作例とを比較すると、第１の動作例では筐体を開いて撮像モードを中断した後、筐体を閉じるだけで即座に撮像モードに戻れるという利点がある。一方、第２の動作例では、撮像モードから離脱したいときに、第１または第２の操作部の操作を行うことなく、筐体を開くだけでその目的を達成できるという利点がある。
【００４０】
以上、本発明の好適な実施の形態について説明したが、種々の変形、変更が可能である。例えば、図７，図８の動作例では、撮像モードへの移行の指示を受けた際に、撮像モードに入ること自体を抑止するようにしたが、一旦撮像モードに入って表示部のファインダとしてのモニタ機能をオンにし、シャッタボタン押下時に開状態が確認された場合に撮像動作を抑止するような変形例も考えられる。また、撮像は、静止画だけでなく動画を対象としてもよい。シャッタボタンの位置は図示の位置に限定されるものではない。
【００４１】
【発明の効果】
本発明によれば、スライド回転折り畳み型の携帯通信端末に撮像機能を組み合わせることにより、通信時に利用される表示部を撮像時のファインダとしても利用可能となるので、カメラとしての使用時に一般的なカメラと同様の形態で取り扱うことを可能となり、その操作性の向上を図ることができる。また、これにより、専用のファインダやサブ表示部を設ける必要がなくなり、装置コストを低減することが可能となる。
【００４２】
上側筐体が閉じられた状態で撮像ボタンの操作により撮像モードへ移行するようにすれば、筐体を閉じたまま迅速に撮像モードに入り、直ちに撮像動作に移行することができる。この間、ユーザは従来のように撮像モードへの移行のために筐体を開いて撮像ボタン以外の別のキーの操作を行ったり、筐体を持ち直したりする手間が不要となる。
【００４３】
また、開状態での撮像動作を抑止するようにすれば、不必要な画像処理を行うことなく、かつ、誤動作を防止し、カメラとしての一般的な利用形態および操作性を保証することができる。
【図面の簡単な説明】
【図１】本発明の実施の形態に係る回転スライド型の携帯通信端末の折り畳んだ状態（閉状態）の第１の斜視図である。
【図２】図１に示した携帯通信端末を別の視点から見た第２の斜視図である。
【図３】図１に示した携帯通信端末の下側筐体に対して上側筐体をスライド回転させて開放する途中の状態を示す外観図である。
【図４】図３の状態を経て、上側筐体を開放しきった状態を示す外観図である。
【図５】図１に示した携帯通信端末のシャッタボタンの位置を、下側筐体から上側筐体側へ移動させた構成を有する他の携帯通信端末の外観図である。
【図６】本発明の実施の形態の携帯通信端末のハードウェア構成を示すブロック図である。
【図７】本発明の実施の形態における携帯通信端末の撮像に関する第１の動作例を表すフローチャートである。
【図８】本発明の実施の形態における携帯通信端末の撮像に関する第２の動作例を表すフローチャートである。
【符号の説明】
２５…シャッタボタン、１１１…下側筐体、１１２…上側筐体、１１４…マイク、１１６…主操作部（第１の操作部）、１１８…突起、１２１…ジョグダイヤル、１２２ａ，１２２ｂ…操作ボタン、１２３…表示部、１２４…イヤレシーバ、１３０，１３１…携帯通信端末装置
【図１】
2004312389.tif 000003
【図２】
2004312389.tif 000004
【図３】
2004312389.tif 000005
【図４】
2004312389.tif 000006
【図５】
2004312389.tif 000007
【図６】
2004312389.tif 000008
【図７】
2004312389.tif 000009
【図８】
2004312389.tif 000010